(57)【要約】【課題】携帯性に優れ、衛生的で、使い勝手が良く、更に、地球環境の保護、森林資源の保護・有効活用に貢献し得る携帯可能な箸を提供する。【解決手段】それぞれ中空の外箸と、先端側が当該外箸の先端側開口から長手方向に延び出すことが可能であると共に基端側が当該外箸の中空部内に収容される中箸とによって構成される伸縮可能な一対の箸本体と、前記中箸の基端側が外箸の中空部内に収容されて縮退状態になっている一対の箸本体に冠着可能なキャップとからなる携帯可能な箸。【選択図】図１
2008055084.tif 000002
【特許請求の範囲】
【請求項１】
それぞれ中空の外箸と、先端側が当該外箸の先端側開口から長手方向に延び出すことが可能であると共に基端側が当該外箸の中空部内に収容される中箸とによって構成される伸縮可能な一対の箸本体と、前記中箸の基端側が外箸の中空部内に収容されて縮退状態になっている一対の箸本体に冠着可能なキャップとからなる携帯可能な箸であって、
前記中箸は、基端側から先端側に向かって先細に形成されており、
前記外箸は、その中空部を形成している周壁の内法寸法が、基端側から先端側の前記先端側開口に向かうにつれて次第に小さくなり、
中箸の先端側を外箸の先端側開口から長手方向に延び出させて箸本体を伸長させた時に、中箸の基端側が外箸の先端側開口に係止して箸本体が所定の長さになると共に、
前記キャップは長手方向に延びる所定の長さを有し、その長手方向の一方の端部に２個の孔を備えていると共に、外周部にクリップを有し、
前記キャップの長手方向の一方の端部に備えられている２個の孔は、それぞれ、前記中箸の基端側が外箸の中空部内に収容されて縮退状態になっている各箸本体の先端側外周に密嵌される構造を有し、
前記クリップは、その外周側に、中箸の先端側が置かれる箸置き部を形成する凹部を備えている
ことを特徴とする携帯可能な箸。
【請求項２】
外箸は、基端側に開口部を有し、当該外箸の基端側開口にはパッキンが着脱可能に嵌め込まれて塞がれることを特徴とする請求項１記載の携帯可能な箸。
【請求項３】
外箸は、その周壁の外周寸法が、基端側から前記先端側開口がある先端側に向かうにつれて次第に小さくなることを特徴とする請求項１又端２記載の携帯可能な箸。
【請求項４】
中箸は木質製で、少なくとも表面に抗菌処理が施されていることを特徴とする請求項１乃至３のいずれか一項記載の携帯可能な箸。
【請求項５】
前記外箸は、非木質製であることを特徴とする請求項１乃至４のいずれか一項記載の携帯可能な箸。
【発明の詳細な説明】
【技術分野】
【０００１】
この発明は携帯性に優れ、衛生的で、使い勝手が良く、更に、地球環境の保護、森林資源の保護・有効活用に貢献し得る携帯可能な箸に関する。
【背景技術】
【０００２】
従来、レストラン、食堂等で飲食する場合や持ち帰りの弁当などを食する場合には、専ら、木、竹製の箸、或いは割り箸が使用されている。これらの箸、或いは割り箸は使い捨てとされているので、森林資源の保護、ごみの減量の観点で問題があり、繰り返し使用ができるようにした携帯型の箸が多々提案されている（特許文献１〜３）。
【特許文献１】特開平１１−４７４４号公報
【特許文献２】実用新案登録第３１０４３２１号公報
【特許文献３】実用新案登録第３０９６７５３号公報
【発明の開示】
【発明が解決しようとする課題】
【０００３】
ところで、箸を携帯可能として繰り返し使用する場合には、（１）携帯が容易であること、（２）衛生的であること、（３）使い勝手が良いこと、が最低限求められる。また、今日の箸には、地球環境の保護、森林資源の保護・有効活用に貢献するものであることが求められている。
【０００４】
そこで、この発明は、携帯性に優れ、衛生的で、使い勝手が良く、更に、地球環境の保護、森林資源の保護・有効活用に貢献し得る携帯可能な箸を提供することを目的としている。
【課題を解決するための手段】
【０００５】
上記の目的のもとになされたこの発明のうち、請求項１の発明は、それぞれ中空の外箸と、先端側が当該外箸の先端側開口から長手方向に延び出すことが可能であると共に基端側が当該外箸の中空部内に収容される中箸とによって構成される伸縮可能な一対の箸本体と、前記中箸の基端側が外箸の中空部内に収容されて縮退状態になっている一対の箸本体に冠着可能なキャップとからなる携帯可能な箸である。
【０００６】
なお、ここで、前記中箸は、基端側から先端側に向かって先細に形成されており、前記外箸は、その中空部を形成している周壁の内法寸法が、基端側から先端側の前記先端側開口に向かうにつれて次第に小さくなり、中箸の先端側を外箸の先端側開口から長手方向に延び出させて箸本体を伸長させた時に、中箸の基端側が外箸の先端側開口に係止して箸本体が所定の長さになるものである。
【０００７】
また、前記キャップは、長手方向に延びる所定の長さを有し、その長手方向の一方の端部に２個の孔を備えていると共に、外周部にクリップを有するものである。
【０００８】
そして、前記キャップの長手方向の一方の端部に備えられている２個の孔は、それぞれ、前記中箸の基端側が外箸の中空部内に収容されて縮退状態になっている各箸本体の先端側外周に密嵌される構造を有し、前記クリップは、その外周側に、中箸の先端側が置かれる箸置き部を形成する凹部を備えているものである。
【０００９】
請求項２の発明は、請求項１記載の携帯可能な箸において、外箸が、基端側に開口部を有し、当該外箸の基端側開口にはパッキンが着脱可能に嵌め込まれて塞がれるようになっている携帯可能な箸である。
【００１０】
請求項３の発明は、請求項１又は２記載の携帯可能な箸において、外箸は、その周壁の外周寸法が、基端側から前記先端側開口がある先端側に向かうにつれて次第に小さくなる携帯可能な箸である。
【００１１】
請求項４の発明は、請求項１乃至３のいずれか一項記載の携帯可能な箸において、中箸は木質製で、少なくとも表面に抗菌処理が施されている携帯可能な箸である。
【００１２】
請求項５の発明は、請求項１乃至４のいずれか一項記載の携帯可能な箸において、前記外箸は、非木質製である携帯可能な箸である。
【００１３】
なお、前記いずれの本願発明の携帯可能な箸においても、前記キャップの長手方向の一方の端部に備えられている２個の孔は、それぞれ、他方の端部に備えられている孔にまで連通するように、前記キャップの長手方向の全長にわたって孔が延びていて、当該他方の端部に備えられている孔は、着脱可能なパッキンで塞がれている形態にすることもできる。
【発明の効果】
【００１４】
請求項１の発明によれば、（１）箸本体を中箸と外箸で伸縮可能とし、そして縮退させた状態（すなわち、中箸を外箸の中空部に収容した状態）の一対の箸本体にクリップ付きのキャップを冠着した構成であるので、万年筆のような筆記具をクリップで留めて衣服のポケットに収納しておくように、本発明の携帯可能な箸を携帯することができ、携帯性に優れた箸を提供できる。（２）また、箸本体を縮退させた状態でキャップを冠着すると、外箸の中空部に収容された中箸は、外箸の中空部とキャップの孔に密嵌される構成であるので、中箸を外部の汚れから保護できる。（３）更に、キャップに設けたクリップには箸置きを形成するための凹部を設けてあるので使い勝手を向上することができる。
【００１５】
請求項２の発明によれば、外箸が基端側に開口部を有し当該外箸の基端側開口にパッキンが着脱可能に嵌め込まれて塞がれるようになっている構成であるので、請求項１の発明によって発揮される効果に加えて、（４）このパッキンを取り外して基端開口を開放することによって、外箸に収容されている中箸を基端開口を通して取り出し、中箸と外箸とを分解することができる。これによって、中箸の洗浄、外箸の洗浄（外周側だけでなく、中空部内の洗浄）を容易かつ完全にできる効果がある。（５）また、飲食物に接触し、外箸に比較して汚れが進む可能性の大きい中箸のみを適宜、新品に交換するようにし、中空であって、使用材料を節約できる外箱を継続して使用することによって地球環境の保護、森林資源の保護・有効活用に貢献し得る箸を提供することができる。
【００１６】
請求項３の発明によれば、外箸は、その周壁の外周寸法が、基端側から前記先端側開口がある先端側に向かうにつれて次第に小さくなる構成であるので、請求項１又端請求項２の発明によって発揮される効果に加えて、箸本体を伸長させた時に、箸本体の外側が外箸から中箸に向かって段差なく滑らかに連続するようにできる。そこで、箸としての機能性を損なわないようにできる。
【００１７】
請求項４の発明によれば、中箸は木質製で、少なくとも表面に抗菌処理が施されているので、請求項１乃至請求項３の発明によって発揮される効果に加えて、木質製の箸によって発揮される機能、例えば、滑り難さ、使いやすさなどの効果を発揮でき、また、抗菌処理によって衛生的なものとすることができる。
【００１８】
尚、ここでいう木質製とは、木製の他、木粉を成形したものや、竹製のものも含んでいる。
【００１９】
また、少なくとも表面に抗菌処理が施されているとは、表面に抗菌性の塗料や、樹脂などが吹きつけ、塗布されているものの他、木質製の中箸を抗菌性の塗料や樹脂などに含浸処理したもの、そもそも抗菌性を有する木材などによって中箸が成形されている場合を含むものである。
【００２０】
請求項５の発明によれば、外箸が非木質製であるので、請求項１乃至請求項４の発明によって発揮される効果に加えて、箸本体の全長を木質製とするものに比べて、木質材料を約半分にできる効果がある。こうして木質材料の使用を減らすことにより、地球環境の保護、森林資源の保護・有効活用に貢献し得る箸を提供することができる。
【００２１】
なお、ここでいう非木質製とは、金属製、合成樹脂製などを総称し、生分解性樹脂製のものを含むものである。
【００２２】
継続使用される外箸を金属製、合成樹脂製などとすることによって、木質材料の使用を減らすことができる。
【００２３】
更に、非木質製の外箸として、生分解性樹脂製、例えば、とうもろこし由来の澱粉を主体とする生分解性樹脂製の外箸を採用すれば、地球環境の保護、森林資源の保護・有効活用により一層貢献する携帯可能な箸を提供することができる。
【００２４】
更に、以上の本発明の携帯可能な箸において、キャップの長手方向の一方の端部に備えられている２個の孔が、それぞれ、他方の端部に備えられている孔にまで連通するように、キャップの長手方向の全長にわたって孔が延びていて、当該他方の端部に備えられている孔が着脱可能なパッキンで塞がれている形態にすると、請求項１乃至請求項５の発明によって発揮される効果に加えて、前記パッキンを取り外すことで、キャップの孔の洗浄も容易にできる効果がある。
【発明を実施するための最良の形態】
【００２５】
以下、添付図面を参照してこの発明の好ましい実施の形態を説明する。
【００２６】
図１は、この発明の携帯可能な箸１を説明する全体斜視図で、図１（ａ）は、使用状態におけるこの発明の携帯可能な箸１における一対の箸本体の中箸先端側がキャップのクリップ外周側に形成されている箸置き部を形成する凹部に置かれている状態を表す斜視図である。また、図１（ｂ）は、中箸の基端側が外箸の中空部内に収容されて縮退状態になっている一対の箸本体にキャップが冠着されている状態を表す斜視図である。
【００２７】
この携帯可能な箸１は、図２（ａ）、（ｂ）に図示されている一対の箸本体３０、３０と、図１（ｂ）に図示されているように、一対の箸本体３０、３０に冠着可能なキャップ４０とからなる。
【００２８】
一対の箸本体３０、３０は、図２（ａ）、（ｂ）に図示されているように、それぞれ中空の外箸２０と、先端側が外箸２０の先端側開口２２から長手方向（図２（ａ）、（ｂ）中、左右方向）に延び出すことが可能であると共に、基端１２側が外箸２０の中空部２１内に収容される中箸１０とによって構成される伸縮可能なものである。
【００２９】
キャップ４０は、図２（ｂ）図示のように、中箸１０の基端１２側が外箸２０の中空部２１内に収容されて縮退状態になっている一対の箸本体３０に冠着可能なものである。
【００３０】
中箸１０は木製であり断面円形で図示の実施形態では、中実としてある。外箸２０は図示の実施形態では金属製であり、断面円形で中空としてある。また、キャップ４０は合成樹脂製にすることができる。
【００３１】
木製の中箸１０は、表面に抗菌性の塗料や、樹脂などを吹きつけ、塗布したり、木製の中箸１０を抗菌性の塗料や樹脂などに含浸処理することにより、あるいは、そもそも抗菌性を有する木材などによって成形することにより、少なくとも表面に抗菌処理が施されているものとなっている。これにより、衛生的な箸を提供することができる。
【００３２】
図２に示してあるように、中箸１０は、基端１２側から先端側（図２（ａ）、（ｂ）中、左側）に向かって先細に形成されている。
【００３３】
外箸２０は、その中空部２１を形成している周壁の内法寸法が、基端側（図２（ａ）、（ｂ）中、右側）から先端側の先端側開口２２に向かうにつれて次第に小さくなる。
【００３４】
そして、中箸１０の先端側を外箸２０の先端側開口２２から長手方向に延び出させて箸本体を伸長させた時（図１（ａ）、図２（ａ）図示の状態のとき）に、中箸１０の基端１２側が外箸２０の先端側開口２２に係止して箸本体が所定の長さになるものである。
【００３５】
なお、中箸１０の全長は外箸２０の全長に比べてやや長くされている。
【００３６】
また、図示の実施形態では、中箸１０の先端部外周には、飲食物をはさんだ際、あるいは、つまんだ際などに滑ることを防止すべく環状溝１１が多段に形成されている。
【００３７】
外箸２０は、図２（ａ）、（ｂ）図示のように、その周壁の外周寸法が、基端側（図２（ａ）、（ｂ）中、右側）から先端側開口２２がある先端側（図２（ａ）、（ｂ）中、左側）に向かうにつれて次第に小さくなっている。
【００３８】
これによって、図１（ａ）、図２（ａ）図示のように箸本体３０を伸長させた時には、外箸２０から中箸１０に向かって外側が段差なく滑らかに連続するようにしてある。
【００３９】
外箸２０は、図示の実施形態では金属製で、基端側（図２（ａ）、（ｂ）中、右側）に開口部を有し、外箸２０の基端側開口にパッキン２４が着脱可能に嵌め込まれて塞がれるようになっている。こうして、中空部２１が塞がれている。
【００４０】
キャップ４０は、図１（ａ）、（ｂ）、図３（ａ）に示したように、長手方向（図３（ａ）の左右方向）に延びる所定の長さを有し、その長手方向の一方の端部（図３（ａ）中、右側の端部）に２個の孔４１、４１を備えていると共に、外周部にクリップ４０を備えている。
【００４１】
キャップ４０の長手方向の一方の端部に備えられている２個の孔４１、４１は、それぞれ、中箸１０の基端１２側が外箸２０の中空部２１内に収容されて縮退状態（図２（ｂ）図示の状態）になっている各箸本体３０の先端側外周２３に密嵌される構造を有し、図１（ｂ）図示のように、中箸１０の基端１２側が外箸２０の中空部２１内に収容されて縮退状態になっている一対の箸本体３０、３０に冠着される。
【００４２】
キャップ４０の外周部に備えられているクリップ４０は、その外周側に、中箸１０、１０の先端側が、図１（ａ）図示のように置かれる箸置き部を形成する凹部４５を備えている。
【００４３】
これによって、使用状態における本発明の携帯可能な箸１の中箸１０先端側を、図１（ａ）図示のように、キャップ４０のクリップ４４外周側に形成されている凹部４５によって形成される箸置き部に置くことができる。
【００４４】
なお、キャップ４０の長手方向の一方の端部（図３（ａ）中、右側の端部）に備えられている２個の孔４１、４１は、それぞれ、他方の端部（図３（ａ）中、左側の端部）に備えられている孔にまで連通するように、キャップ４０の長手方向（図３（ａ）の左右方向）の全長にわたって孔４２が延びていて、当該他方の端部（図３（ａ）中、左側の端部）に備えられている孔は、図３（ｃ）図示のように、着脱可能なパッキン４３で塞がれている。これによって、パッキン４３を取り外すことで、キャップ４０の孔４１、４１、４２の洗浄を容易に行うことができる。
【００４５】
以上のように構成された本発明の携帯可能な箸１は、一対の箸本体３０、３０のそれぞれを図２（ａ）に図示したように伸長させて使用する。
【００４６】
この際、図１（ａ）、図２（ａ）図示のように、中箸１０の基端１２側が外箸２０の先端側開口２２に係止して箸本体３０が所定の長さになっている。また、外箸２０は、図２（ａ）、（ｂ）図示のように、その周壁の外周寸法が、基端側（図２（ａ）、（ｂ）中、右側）から先端側開口２２がある先端側（図２（ａ）、（ｂ）中、左側）に向かうにつれて次第に小さくなっているので、図１（ａ）、図２（ａ）図示のように箸本体３０を伸長させた時には、外箸２０から中箸１０に向かって外側が段差なく滑らかに連続している。
【００４７】
そこで、図１（ａ）、図２（ａ）図示のように伸長させた箸本体３０を通常の一本の箸のように使用することができる。
【００４８】
そして、この際、キャップ４０は、図１（ａ）に示したように箸置きとして使用することができる。
【００４９】
携帯可能な箸１を携帯する際には、図２（ｂ）に示したように、一対の箸本体３０、３０をそれぞれ縮退させ、この縮退させた一対の箸本体３０、３０に、図１（ｂ）に示したように、キャップ４０を冠着する。
【００５０】
キャップ４０にはクリップ４４が設けられているので、このクリップ４４によって、衣服やバッグ等のポケットに本発明の携帯可能な箸１を係止して携帯することができる。
【００５１】
図１（ｂ）に示したようにキャップ４０を冠着した状態では、外箸２０の中空部２１に収容されている中箸１０は、中空部２１とキャップ４０の穴４１で形成される空間内に密封された状態に置かれるので、中箸１０を外部の汚れから保護することができ、衛生状態を保つことができる。
【００５２】
外箸２０の基端に嵌め込んだパッキン２４を取り外すと、中空部２１の基端側開口部を通して中箸１０を図２（ａ）中、右側方向に引き出して、外箸２０と分離することができる。
【００５３】
また、キャップ４０に嵌め込んだパッキン４３を取り外すと、穴４１は貫通した孔４２の状態とすることができる。このように、パッキン２４、４３を取り外すことで、各部材の洗浄も容易に行うことができる。
【００５４】
以上、添付図面を参照してこの発明の好ましい実施形態について説明したが、この発明はかかる実施形態に限定されるものではなく、特許請求の範囲の記載から把握される技術的範囲において種々の形態に変更可能である。
【００５５】
例えば、中箸１０及び外箸２０は、図示し、前記の実施形態で説明したように断面円形に限られるものではなく、三角、四角、等、多角形の断面とすることもできる。
【図面の簡単な説明】
【００５６】
【図１】この発明の携帯可能な箸を説明する全体斜視図で、（ａ）は、使用状態におけるこの発明の携帯可能な箸の中箸先端側がキャップのクリップ外周側に形成されている箸置き部を形成する凹部に置かれている状態を表す斜視図、（ｂ）は、中箸の基端側が外箸の中空部内に収容されて縮退状態になっている一対の箸本体にキャップが冠着されている状態を表す斜視図。
【図２】（ａ）この発明の携帯可能な箸における中箸の先端側を外箸の先端側開口から長手方向に延び出させて箸本体を伸長させ、中箸の基端側が外箸の先端側開口に係止して箸本体が所定の長さになっている状態の断面図、（ｂ）中箸の基端側が外箸の中空部内に収容されて縮退状態になっている状態の箸本体の断面図。
【図３】この発明の携帯可能な箸のキャップを説明する図で、（ａ）は正面図、（ｂ）は右側面図、（ｃ）は一部拡大断面図。
【符号の説明】
【００５７】
１          携帯可能な箸
１０        中箸
１１        環状溝
１２        基端部
２０        外箸
２１        中空部
２２        先端側開口部
２３        先端側外側
２４        パッキン
３０        箸本体
４０        キャップ
４１        孔
４２        孔
４３        パッキン
４４        クリップ
４５        凹部
【図１】
2008055084.tif 000003
【図２】
2008055084.tif 000004
【図３】
2008055084.tif 000005